(57)【要約】本発明は、データ伝送用の改良されたジャックに関し、特に、クロストーク特性が向上したジャックを提供する。ジャックは、その上に複数の金属ストリップが装着される本体を備えている。ストリップには、第１群の金属ストリップが含まれており、第１群の各金属ストリップは、対応するプラグの導電体と接続する接点部（７）と、使用時にジャックが装着されるプリント回路基板に接続される接続部とを有している。また、ストリップには、第２群の金属ストリップが含まれており、第２群の各金属ストリップは、第１群の金属ストリップの長さの一部にわたって第１群の少なくとも一つの金属ストリップと平行に延びるとともに、第１群の異なる金属ストリップに電気的に接続される。
2004509441.tif 000002
【特許請求の範囲】
【請求項１】
その上に複数の金属ストリップが装着される本体を備えたジャックであって、前記金属ストリップには、第１群の金属ストリップと第２群の金属ストリップとが含まれており、第１群の各金属ストリップは、対応するプラグの導電体と接続する接点部と、使用時にジャックが装着されるプリント回路基板に接続される接続部とを有し、第２群の各金属ストリップは、第１群の金属ストリップの長さの一部にわたって第１群の少なくとも一つの金属ストリップと平行に延びるとともに、第１群の異なる金属ストリップに電気的に接続されるジャック。
【請求項２】
第１群の金属ストリップの接点部の領域に第２群の金属ストリップの一部が全く含まれないように、第２群の金属ストリップが切り落とされる、請求項１に記載のジャック。
【請求項３】
金属ストリップは、適当なプラスチック材料中に封入される共通の領域を有している、請求項１または請求項２に記載のジャック。
【請求項４】
第１群の接点部は、封入された領域の一端から延び、第１群のストリップの接続部は、封入された領域の他端から延びている、請求項３に記載のジャック。
【請求項５】
第２群のストリップは、封入された領域を越えて接点部の方向に延びていない、請求項３または請求項４に記載のジャック。
【請求項６】
ストリップは、予め形成された共通のブランクから成る二つの重ね合わされた層によって形成され、一方のブランク層が他方のブランク層に対して反転されている、先行する請求項のいずれか一項に記載のジャック。
【請求項７】
少なくとも幾つかのストリップは、残るストリップのパッド部と協働してジャックのインピーダンス・マッチング特性を高めるパッド部を有している、先行する請求項のいずれか一項に記載のジャック。
【発明の詳細な説明】
【０００１】
本発明は、データ伝送用の改良されたジャックに関するものであり、好ましい実施において、クロストーク特性が向上したジャックを提供する。
【０００２】
ジャック（及びその関連のプラグ）は、部品間をプラグ接続するために、データ伝送システムにおいて広く使用されている。例えば、ジャックは、構造化されたケーブルシステムのパッチパネルや壁コンセントおよび電子装置で広く使用されており、パッチリードを使用して構造化されたケーブルシステムに電子装置を接続することができる。ケーブル産業では、いわゆるＲＪ４５プラグが広く使用されており、ジャックの大部分がＲＪ４５プラグに適合するように工夫されている。
【０００３】
構造化されたケーブルシステムの性能に関しては、国際的に合意された様々な規格がある。現在において主流の規格は、いわゆる「５類」（一般に、Ｃａｔ５と呼ばれている）および若干改良された「改訂５類」（一般に、Ｃａｔ５ｅと呼ばれている）。最近では、更に高度の規格（６類すなわちＣａｔ６）が提案されてきている。Ｃａｔ６規格は、先のＣａｔ５およびＣａｔ５ｅ規格よりも低い低レベルの近端クロストーク（ＮＥＸＴ）値、遠端クローストーク（ＦＥＸＴ）値、および、改良されたリターンロス値を要求している。Ｃａｔ６規格を満たすため、ＲＪプラグ仕様の物理的なパラメータ内を維持しながら、プラグおよびジャックの両者を設計し直す必要がある。
【０００４】
ジャックが固定される回路基板およびプラグを注意深く設計することにより、標準的なジャック構成を抜本的に変更することなく、Ｃａｔ６規格を満たすプラグとジャックとの組み合わせを設計することができる。しかしながら、現在では、Ｃａｔ６仕様の装置のプラグおよびジャックは、Ｃａｔ５の部品と組み合わせて使用される場合、Ｃａｔ５規格を満たせることが望ましいと考えられている。すなわち望ましくは、現在では、Ｃａｔ６プラグがＣａｔ５ジャック内に挿入される場合、または、Ｃａｔ５プラグがＣａｔ６ジャック内に挿入される場合、組み合わせ全体がＣａｔ５規格を満たさなければならない。
【０００５】
ここで、我々は、Ｃａｔ５規格に対する後衛的適合性において特に必要なものを満たし得る改良されたジャックを提案した。
【０００６】
本発明の一形態において、ジャックは、その上に複数の金属ストリップが装着される本体を備え、前記金属ストリップには、第１群の金属ストリップと第２群の金属ストリップとが含まれており、第１群の各金属ストリップは、対応するプラグの導電体と接続する接点部と、使用時にジャックが装着されるプリント回路基板に接続される接続部とを有し、第２群の各金属ストリップは、第１群の金属ストリップの長さの一部にわたって第１群の少なくとも一つの金属ストリップと平行に延びるとともに、第１群の異なる金属ストリップに電気的に接続される。
【０００７】
本発明の好ましい実施形態においては、第１群の金属ストリップの接点部の領域に第２群の金属ストリップの一部が全く含まれないように、第２群の金属ストリップが切り落とされる。
【０００８】
金属ストリップは、適当なプラスチック材料中に封入される共通の領域を有していることが好ましい。第１群の接点部は、封入された領域の一端から延び、第１群のストリップの接続部は、封入された領域の他端から延びている。第２群のストリップは、封入された領域を越えて接点部の方向に延びていないことが好ましい。
【０００９】
本発明の特に好ましい実施形態において、接点ストリップは、予め形成された共通のブランクから成る二つの重ね合わされた層によって形成され、一方のブランク層が他方のブランク層に対して反転されている。
【００１０】
本発明の特に好ましい実施形態において、少なくとも幾つかのストリップは、残るストリップのパッド部と協働してジャックのインピーダンス・マッチング特性を高めるパッド部を有している。
【００１１】
本発明の前述した特徴、更なる特徴、及び利点は、添付図面を参照しつつ、一例として与えられた以下の本発明の好ましい実施形態の説明から明らかとなる。
【００１２】
まず、図１および図２に示されるように、本発明に係るジャックの製造に使用されるブランク材料１は、側部領域２、３と、これらの側部領域間で延びる複数のストリップ４とを備えている。ブランクは、任意の適当な手段により、任意の適当な材料から形成されていても良い。例えば、ブランクは、打ち抜き加工により、燐青銅から形成されても良い。側部領域２、３は複数の穴５を有している。これらの穴５は、後述するように、自動組立装置の駆動ピンを受けるとともに、重ね合わされたブランクの正確な位置合わせを行なうようになっている。
【００１３】
ストリップ４から成る各群は、５つのストリップＡ、Ｂ、Ｃ、Ｄ、Ｅを備えている。なお、製造時、各ストリップは、側部領域２、３間で連続しているとともに、当初は側部領域２、３と一体を成している。ストリップＡ、Ｃ、Ｅは、後述するインピーダンス・マッチングのためのパッド６を有している。
【００１４】
完成品のジャックにおいて、ストリップＡ、Ｂ、Ｃ、Ｅは、プラグの対応する接点と電気的に接続する接点部を備えている。接点部を備えるストリップの領域７は、ブランクが形成された後、例えば機械的な処理及び／又は電気メッキにより適当に処理されても良い。
【００１５】
なお、完成品のジャックにおいて、ストリップＤは接点部を備えていない。
【００１６】
ジャックを形成するためには、ブランク材料から成る層が二つ必要である。この場合、第１の層上には、第１の層に対して反転して第２の層が重ね合わされる。図２に示されるブランク１は、図１のブランクに対して反転した関係を成している。
【００１７】
ジャックを形成するため、２層のブランク材料は図３に示されるように重ね合わされる。この場合、穴５は、二つの層を正確に位置合わせするために使用される。図３において、上側の層の各種のストリップには接頭語「Ｕ」が付されており、また、下側の層の各種のストリップにはその参照符号の前に「Ｌ」が付されている。なお、図３に示される重ね合わされた構成においては、下側のＢストリップＬＢが見えない。これは、下側のＢストリップＬＢが上側のＤストリップＵＤの真下に位置されてＤストリップＵＤにより覆われているためである。同様に、下側のＤストリップＬＤは、上側のＢストリップＵＢの真下に位置されてＢストリップＵＢにより覆われているため、図３において見ることができない。
【００１８】
ジャック本体内に挿入するための接点サブアセンブリを形成するために、ストリップ４の共通の中央領域８が適当なプラスチックカプセル（封入体）９内に封入される。実際に、下側のブランクの共通領域８を封入する第１のカプセル９Ａを形成するとともに、上側のブランクの共通領域８を封入する第２のカプセル９Ｂを形成することにより、二段階で封入を都合良く行なうことができる。カプセル９Ａ、９Ｂは、別個に形成され、成形後に互いに固定されても良い。また、カプセル９Ａが形成されるとともに、このカプセル上に上側のブランクが重ね合わされ、その位置でカプセル９Ｂが形成されても良い。これによって得られる配置が図４の左手部分に示されており、また、封入前のストリップの配置が図４の右手部分に示されている。実際には、図４の左手部分と右手部分との間に多くの中間段階があることは言うまでもない。単なる便宜のために、全く封入されていない段階と、完全に封入された段階とが並べて示されている。
【００１９】
完全に封入が成されて、図４の左手部分に示される構成が得られたら、カプセル９を備えたストリップ４は、側部領域２、３から切り落とされて、所定の寸法に仕上げられても良く、また、接点部の場合には従来の逆曲げ（反復曲げ）を用いて曲げられても良い。各Ｄストリップ（ＬＤおよびＵＤ）は、接点部７に面するカプセル９の側面１０の直ぐ近傍で切り落とされる。したがって、接点部７は、従来のＲＪ４５規格に基づき、合計で８個になる。ストリップの接続部１２に面するカプセルの反対側の面１１では、合計１０個のストリップがカプセルに残されている。当業者であれば分かるように、これらのストリップのうちの８個は、プリント回路基板のトラックに接続可能な接点部を形成する。この場合、ジャックがプリント回路基板上に装着されることにより、接点部７によって形成される８個の接点への電気的な接続が成される。残る二つのストリップ部分（ＬＤストリップおよびＵＤストリップによって形成される）はそれぞれ、他の接点部のうちの一つに接続されることが好ましい。必要な接続は、ジャックが取り付けられるプリント回路基板上のトラックによって都合良く形成することができる。正確な接続配置は、所望のクロストーク（混信）特性を与えるために必要な接続によって決まる。特定の場合には、ＬＤストリップおよびＵＤストリップの一方または両方と隣接する接点部とを直接に接続することにより、ＰＣＢ上に別個のトラックを設ける必要性をなくすことができる。
【００２０】
なお、組み立てられたストリップ構成において、ストリップＵＥに関連するパッド６は、ストリップＬＡのパッド６上に横たわってほぼ完全に重なり合っている。同様に、ストリップＵＣのパッドは、ストリップＬＣのパッド６上に横たわってほぼ完全に重なり合っている。最後に、ストリップＵＡのパッドは、ストリップＬＥのパッド６上に横たわってほぼ完全に重なり合っている。互いに対応する一対のパッド同士は、ジャックのクロストークに殆ど影響を与えないが、ジャックのインピーダンス・マッチングの支援に役立つ。
【００２１】
本発明の好ましい実施形態において、ストリップＬＤ、ＵＤの接点部は、上下に横たわる対応するストリップＵＢ、ＬＢに電気的に接続されているが、要求される実際のクロストーク低減に応じて他の構成が望ましい場合もあることは言うまでもない。
【００２２】
本発明の好ましい実施形態においては、二つのストリップＬＤ、ＵＤが余分に設けられているが、本発明は、二つの別個のストリップの使用に限定されず、それどころか、必要とされるクロストーク補償の種類に応じて任意の数の別個のストリップを包含することは言うまでもない。
【図面の簡単な説明】
【図１】
本発明の好ましい実施形態に係るジャックの製造で使用されるブランク材料の一部の平面図である。
【図２】
図１に示される位置に対して反転された図１のブランクの図である。
【図３】
図１のブランクと対向して重ね合わされた図２のブランクの平面図である。
【図４】
ストリップの共通領域の封入を示す図３の重ね合わされたストリップの斜視図である。
【国際公開パンフレット】
2004509441.tif 000003
2004509441.tif 000004
2004509441.tif 000005
2004509441.tif 000006
2004509441.tif 000007
2004509441.tif 000008
2004509441.tif 000009
2004509441.tif 000010
2004509441.tif 000011
2004509441.tif 000012
2004509441.tif 000013
2004509441.tif 000014
【手続補正書】
【提出日】平成15年1月13日(2003.1.13)
【手続補正１】
【補正対象書類名】明細書
【補正対象項目名】特許請求の範囲
【補正方法】変更
【補正の内容】
【特許請求の範囲】
【請求項１】
その上に複数の金属ストリップが装着される本体を備えたジャックであって、前記金属ストリップには、第１群の金属ストリップと第２群の金属ストリップとが含まれており、第１群の各金属ストリップは、対応するプラグの導電体と接続する接点部と、使用時にジャックが装着されるプリント回路基板に接続される接続部とを有し、第２群の各金属ストリップは、第１群の金属ストリップの長さの一部にわたって第１群の少なくとも一つの金属ストリップと平行に隣接して延びるとともに、使用時にジャックが装着されるプリント回路基板に接続される接続部を有し、また、全ての金属ストリップの一部位を封入する封入体であって、その第１の側面から接点部を延在させ、且つその第２の側面から接続部を延在させることにより、第１群の金属ストリップの接続部をプリント回路基板のトラックに接続して、各接点部とプリント回路基板のトラックとを電気的に接続することができる封入体と、第２群の金属ストリップが隣接して位置する第１群の金属ストリップとは異なる第１群の一つの金属ストリップと第２群の各金属ストリップとを電気的に接続する手段とを備えているジャック。
【請求項２】
第１群の金属ストリップの接点部の領域に第２群の金属ストリップの一部が全く含まれないように、第２群の金属ストリップが切り落とされる、請求項１に記載のジャック。
【請求項３】
金属ストリップは、適当なプラスチック材料中に封入される共通の領域を有している、請求項１または請求項２に記載のジャック。
【請求項４】
第１群の接点部は、封入された領域の一端から延び、第１群のストリップの接続部は、封入された領域の他端から延びている、請求項３に記載のジャック。
【請求項５】
第２群のストリップは、封入された領域を越えて接点部の方向に延びていない、請求項３または請求項４に記載のジャック。
【請求項６】
ストリップは、予め形成された共通のブランクから成る二つの重ね合わされた層によって形成され、一方のブランク層が他方のブランク層に対して反転されている、先行する請求項のいずれか一項に記載のジャック。
【請求項７】
少なくとも幾つかのストリップは、残るストリップのパッド部と協働してジャックのインピーダンス・マッチング特性を高めるパッド部を有している、先行する請求項のいずれか一項に記載のジャック。
【国際調査報告】
2004509441.tif 000015
2004509441.tif 000016